(57)【特許請求の範囲】
【請求項１】
光記録媒体駆動装置本体、この光記録媒体駆動装置本体により回転駆動される光記録媒体用アダプタ、および、この光記録媒体用アダプタに装着される板状の光記録媒体本体を備えている光記録媒体を備えている光記録媒体駆動装置において、
前記板状の光記録媒体本体は、前記光記録媒体用アダプタに係合される係合部と、データが光学的に読み出し可能または書き込み可能な記録部とを備え、
前記光記録媒体用アダプタは、円盤の外周の一部が欠落した態様で構成されている欠落部分を有した円盤形状であり、
前記係合部による係合は、前記光記録媒体本体が前記光記録媒体用アダプタの外周側から前記欠落部分に差し込まれることにより前記光記録媒体本体を前記光記録媒体用アダプタに装着させる係合であることを特徴とする光記録媒体駆動装置。
【請求項２】
前記欠落部分は、その内側端面に突起を有し、
前記係合部は、前記突起に係合する溝であることを特徴とする請求項１記載の光記録媒体駆動装置。
【請求項３】
前記記録部は同心円状に並ぶ複数の円弧状のトラックを備えており、これら各トラックの端部にはトラック構成に関する情報が記録されていることを特徴とする請求項１に記載の光記録媒体駆動装置。
【請求項４】
光記録媒体駆動装置本体、この光記録媒体駆動装置本体により回転駆動される光記録媒体用アダプタ、および、この光記録媒体用アダプタに装着される板状の光記録媒体本体を備えている光記録媒体を備えている光記録媒体駆動装置において、
前記光記録媒体用アダプタは、前記光記録媒体が装着される記録媒体装着部と円盤の外周の一部が欠落した態様で構成されている欠落部分とを有した円盤形状をなしており、
前記記録媒体装着部は、前記欠落部分とされ、前記光記録媒体が前記光記録媒体用アダプタの外周側から差し込まれることにより前記光記録媒体を前記光記録媒体用アダプタに装着させる係合部を有することを特徴とする光記録媒体駆動装置。
【請求項５】
前記光記録媒体は端面に溝を有し、
前記係合部は、前記欠落部分の内側端面に形成された、前記溝に係合する突起であることを特徴とする請求項４に記載の光記録媒体駆動装置。
【請求項６】
前記光記録媒体は、円盤形状若しくは非円盤形状に形成されており、
前記記録媒体装着部は、前記光記録媒体の形状に適合する形状に形成されていることを特徴とする請求項４または５に記載の光記録媒体駆動装置。
【請求項７】
使用者の両手で握られる一対のグリップ部を備えている光記録媒体駆動装置本体と、
この光記録媒体駆動装置本体に設けられた光記録媒体回転駆動部により回転駆動される光記録媒体用アダプタと、
この光記録媒体用アダプタに装着される板状の光記録媒体本体を備えている光記録媒体とを備えており、
前記板状の光記録媒体本体は、前記光記録媒体用アダプタに係合される係合部と、データが光学的に読み出し可能または書き込み可能な記録部とを備え、
前記光記録媒体用アダプタは、円盤の外周の一部が欠落した態様で構成されている欠落部分を有した円盤形状であり、
前記係合部による係合は、前記光記録媒体本体が前記光記録媒体用アダプタの外周側から前記欠落部分に差し込まれることにより前記光記録媒体本体を前記光記録媒体用アダプタに装着させる係合であることを特徴とする光記録媒体駆動装置。
【発明の詳細な説明】
【技術分野】
【０００１】
本発明は、光学的に読みとり可能な光記録媒体を駆動する光記録媒体駆動装置に関する。
【背景技術】
【０００２】
従来、コンピュータ用の記録媒体として、ＣＤ−ＲＯＭ（Compact Disc ReadOnly Memory ）が広く利用されている。ＣＤ−ＲＯＭは、低コストで、かつ、大きな記録容量を確保できるという利点を有する。
【０００３】
さらに、近年、ユーザがデータを記録できる追記型記録媒体として、ＣＤ−Ｒ（Compact Disc Recordable ）が実用化されている。ＣＤ−Ｒは、１回のみデータを記録できる記録媒体であり、記録後は通常のＣＤと同様にＣＤドライブ装置で再生できる。
【０００４】
これらＣＤ−ＲＯＭやＣＤ−Ｒは、データの読み取りや書き込みを光学的に行うため、周囲の磁気や静電気等の影響を受けにくく、保存性が良いという利点がある。
【発明の開示】
【発明が解決しようとする課題】
【０００５】
しかしながら、上記従来のＣＤ−ＲＯＭやＣＤ−Ｒは、直径１２ｃｍのＣＤ規格に準じた円盤であり、そのサイズと形状が携帯に不向きで利便性に欠けるという問題があった。
【０００６】
ＣＤ−ＲＯＭやＣＤ−Ｒは、盤の曲がりや傷が記録内容の読み出しに支障を来すことがあるので、持ち運びの際には保護用のケースに収容されることが多い。しかしながら、直径１２ｃｍの円盤をケースに入れると、携帯に不便なほど大きくなってしまうという問題があった。
【０００７】
本発明の課題は、携帯時の利便性に優れた光記録媒体駆動装置を提供することである。
【課題を解決するための手段】
【０００８】
本発明は、このような課題を解決するために、次のような特徴を備えている。なお、次に示す手段の説明中、括弧書きにより実施の形態に対応する構成を一例として示す。符号等は、後述する図面参照符号等である。
【０００９】
請求項１記載の発明に係る光記録媒体駆動装置は、
光記録媒体駆動装置本体（例えば、図１および図５のドライブ装置５）、この光記録媒体駆動装置本体により回転駆動される光記録媒体用アダプタ（例えば、図２に示すＣＤカードアダプタ１０）、および、この光記録媒体用アダプタに装着される板状の光記録媒体本体を備えている光記録媒体（例えば、図６（ａ）〜（ｅ）に示すＣＤカード１）を備えている光記録媒体駆動装置において、
前記板状の光記録媒体本体は、前記光記録媒体用アダプタに係合される係合部（例えば、図６（ａ）に示す溝１０１）と、データが光学的に読み出し可能または書き込み可能な記録部（例えば、図６（ｅ）に示す読取専用エリア１０３、または、例えば、図６（ｅ）に示す記録面１ａ）とを備え、
前記光記録媒体用アダプタは、円盤の外周の一部が欠落した態様で構成されている欠落部分（例えば、図７に示すＣＤカード装着部１３）を有した円盤形状であり、
前記係合部による係合は、前記光記録媒体本体が前記光記録媒体用アダプタの外周側から前記欠落部分に差し込まれ、前記光記録媒体本体を前記光記録媒体用アダプタに装着させる係合であることを特徴とする。
【００１０】
請求項１記載の発明によれば、光記録媒体本体を光記録媒体用アダプタに装着すれば通常のディスク型光記録媒体と同様に扱うことが可能な上、小型化が容易である。また、光記録媒体用アダプタに係合する係合部を有することで、装着時の安定性を確保できる。従って、これまで利用されてきたディスク型光記録媒体と同様の利便性を確保でき、携帯に便利な記録媒体として利用できる。
【００１１】
請求項４記載の発明に係る光記録媒体駆動装置は、
光記録媒体駆動装置本体、この光記録媒体駆動装置本体により回転駆動される光記録媒体用アダプタ、および、この光記録媒体用アダプタに装着される板状の光記録媒体本体を備えている光記録媒体を備えている光記録媒体駆動装置において、
前記光記録媒体用アダプタ（例えば、図２に示すＣＤカードアダプタ１０）は、前記光記録媒体が装着される記録媒体装着部（例えば、図２に示すＣＤカード装着部１３、および、図７（ｂ）に示す外周突起１４）と円盤の外周の一部が欠落した態様で構成されている欠落部分（例えば、図７に示すＣＤカード装着部１３）とを有した円盤形状をなしており、
前記記録媒体装着部は、前記欠落部分とされ、前記光記録媒体が前記光記録媒体用アダプタの外周側から差し込まれることにより前記光記録媒体を前記光記録媒体用アダプタに装着させる係合部を有することを特徴とする。
請求項４記載の発明によれば、請求項１記載の発明の場合と同様に、光記録媒体本体を、光記録媒体用アダプタに装着すれば通常のディスク型光記録媒体と同様に扱うことが可能な上、小型化が容易である。また、光記録媒体用アダプタに係合する係合部を有することで、装着時の安定性を確保できる。従って、これまで利用されてきたディスク型光記録媒体と同様の利便性を確保でき、携帯に便利な記録媒体として利用できる。
【００１２】
請求項７記載の発明に係る光記録媒体駆動装置は、
使用者の両手で握られる一対のグリップ部を備えている光記録媒体駆動装置本体と、
この光記録媒体駆動装置本体に設けられた光記録媒体回転駆動部により回転駆動される光記録媒体用アダプタと、
この光記録媒体用アダプタに装着される板状の光記録媒体本体を備えている光記録媒体とを備えており、
前記板状の光記録媒体本体は、前記光記録媒体用アダプタに係合される係合部と、データが光学的に読み出し可能または書き込み可能な記録部とを備え、
前記光記録媒体用アダプタは、円盤の外周の一部が欠落した態様で構成されている欠落部分を有した円盤形状であり、
前記係合部による係合は、前記光記録媒体本体が前記光記録媒体用アダプタの外周側から前記欠落部分に差し込まれることにより前記光記録媒体本体を前記光記録媒体用アダプタに装着させる係合であることを特徴とする。
請求項７記載の発明によれば、請求項１記載の発明の場合と同様に、光記録媒体本体を、使用者の両手で握られる一対のグリップ部を備えている光記録媒体駆動装置本体に設けられた光記録媒体回転駆動部により回転駆動される光記録媒体用アダプタに装着すれば通常のディスク型光記録媒体と同様に扱うことが可能な上、小型化が容易である。また、光記録媒体用アダプタに係合する係合部を有することで、装着時の安定性を確保できる。従って、これまで利用されてきたディスク型光記録媒体と同様の利便性を確保でき、携帯に便利な記録媒体として利用できる。
【発明の効果】
【００２６】
請求項１記載の発明によれば、光記録媒体本体を光記録媒体用アダプタに装着すれば通常のディスク型光記録媒体と同様に扱うことが可能な上、小型化が容易である。また、光記録媒体用アダプタに係合する係合部を有することで、装着時の安定性を確保できる。従って、これまで利用されてきたディスク型光記録媒体と同様の利便性を確保でき、携帯に便利な記録媒体として利用できる。
【００２７】
請求項４記載の発明によれば、請求項１記載の発明の場合と同様に、光記録媒体本体を、光記録媒体用アダプタに装着すれば通常のディスク型光記録媒体と同様に扱うことが可能な上、小型化が容易である。また、光記録媒体用アダプタに係合する係合部を有することで、装着時の安定性を確保できる。従って、これまで利用されてきたディスク型光記録媒体と同様の利便性を確保でき、携帯に便利な記録媒体として利用できる。
【００２８】
請求項７記載の発明によれば、請求項１記載の発明の場合と同様に、光記録媒体本体を、使用者の両手で握られる一対のグリップ部を備えている光記録媒体駆動装置本体に設けられた光記録媒体回転駆動部により回転駆動される光記録媒体用アダプタに装着すれば通常のディスク型光記録媒体と同様に扱うことが可能な上、小型化が容易である。また、光記録媒体用アダプタに係合する係合部を有することで、装着時の安定性を確保できる。従って、これまで利用されてきたディスク型光記録媒体と同様の利便性を確保でき、携帯に便利な記録媒体として利用できる。
【発明を実施するための最良の形態】
【００４９】
以下、図を参照して本発明の実施の形態を詳細に説明する。
【００５０】
〔第１の実施の形態〕
まず、構成を説明する。図１は、本発明の第１の実施の形態におけるドライブ装置５の構成を示す斜視図である。同図に示すように、ドライブ装置５は箱形のケース５０１に各部を収容して構成される。ドライブ装置５には、ＣＤカード１が載置されるトレイ５０２がケース５０１の前面から出入り可能に組み付けられ、ケース５０１の前面にはスイッチ５０３が設けられている。
【００５１】
スイッチ５０３は、トレイ５０２の出入りを指示するスイッチであって、トレイ５０２にＣＤカード１が載置された状態でスイッチ５０３が操作されると、トレイ５０２がケース５０１内に引き込まれ、ドライブ装置５は、ＣＤカード１からのデータ読出処理及びデータ書込処理を行う。
【００５２】
図２に示すように、トレイ５０２は平板状の部材であって、その上面にはＣＤ載置部５０２ａが形成されている。ＣＤ載置部５０２ａは、一般的に用いられている光ディスク１０ａや、本発明の光記録媒体用アダプタを適用したＣＤカードアダプタ１０等のサイズに合わせて形成された凹部である。従って、ＣＤ載置部５０２ａに光ディスク１０ａやＣＤカードアダプタ１０を載せてスイッチ５０３を操作することにより、トレイ５０２がケース５０１内へ移動し、光ディスク１０ａ又はＣＤカードアダプタ１０が後述する光ピックアップ部６の付近まで搬送される。
【００５３】
なお、光ディスク１０ａは、ＣＤ−ＲＯＭ（Compact Disc - Read Only Memory ）、ＣＤ−Ｒ（Compact Disk - Recordable ）、ＣＤ−ＲＷ（Compact Disc ReWritable ）、ＤＶＤ−ＲＯＭ（Digital Versatile Disk）、ＤＶＤ−Ｒ（Digital Versatile Disk - Recordable ）、ＤＶＤ＋ＲＷ（Digital Versatile Disk+ ReWritable ）、ＤＶＤ−ＲＡＭ（Digital Versatile Disk - Random AcsessMemory ）、ＰＤ、ＭＯ（Magneto Optical Disk）、ＭＤ（Mini Disk）等の、光学的に読み出しや書き込みが可能な円盤形状の記録媒体である。
【００５４】
ここで、ドライブ装置５により駆動されるＣＤカードアダプタ１０について説明する。
図２に示すように、ＣＤカードアダプタ１０は略円盤状であり、その中心には穴１１が設けられ、さらに、穴１１と同心円状に支持部１２が形成されている。
なお、ＣＤカードアダプタ１０は、例えばポリカーボネートやポリプロピレン、ポリエチレン、ポリスチレンその他各種の共重合樹脂等の合成樹脂等によってなるものであり、例えば透明のものが挙げられるが、所定の色に着色されたもの、或いは種々の印刷が施されたものとしても良い。
【００５５】
ＣＤカードアダプタ１０には、円周の一部が切り取られてＣＤカード装着部１３が形成されている。ＣＤカード装着部１３には、後述するＣＤカード１（図６参照）が装着され、ＣＤカード１が装着された状態では、ＣＤカードアダプタ１０は完全な円盤となる。
すなわち、ＣＤカード装着部１３は、光記録媒体としてのＣＤカード１を装着する装着部として機能する。
【００５６】
続いて、ドライブ装置５内部の構成について説明する。
図３は、ドライブ装置５に内蔵される光ピックアップ部６の構成を示す斜視図である。光ピックアップ部６は、ＣＤカード１がセットされたＣＤカードアダプタ１０に対してレーザ光を照射するとともに、反射光を検知する装置である。
【００５７】
図４に示すように、光ピックアップ部６は、ベース６１と、ベース６１上に配設された半導体レーザ６２、ビームスプリッタ６３，ミラー６４、レンズベース６５、レンズ６６、フォトセンサ６７、及びボイスコイル６８，６８等の各部により構成され、ベース６１はベース移動軸６９によって支持されている。
【００５８】
ベース移動軸６９は、螺旋状のネジ山が表面に形成された棒状部材である。また、ベース６１の端部にはアーム６１ａが形成されている。アーム６１ａには貫通孔が穿設されており、この孔の内壁には、ベース移動軸６９のネジ山に嵌合するようにネジが切られている。そして、ベース移動軸６９は、アーム６１ａが有する孔を貫通して配設されている。
【００５９】
このため、ベース移動軸６９が回転すると、ベース移動軸６９のネジ山に沿ってアーム６１ａが移動するので、ベース６１は、図中符号ＡまたはＢで示す方向へ移動する。なお、ベース移動軸６９は、後述するスライダモータ５０４により回転駆動される。
【００６０】
ベース６１上には、半導体レーザ６２、ビームスプリッタ６３、ミラー６４、レンズベース６５、レンズ６６、フォトセンサ６７、及びボイスコイル６８，６８の各部が配設されている。
【００６１】
半導体レーザ６２は、制御部５１の制御に従って、内蔵する光源により生成されるレーザ光を、レーザ光（１）としてビームスプリッタ６３へ出力する。
半導体レーザ６２から出力されるレーザ光（１）の出力値は、適宜切り換えることができ、例えば、ＣＤカード１に記録されたデータを読み出すことが可能であり、また、出力を強くしてＣＤカード１の追記エリア１０４へデータを書き込むことも可能である。
【００６２】
ビームスプリッタ６３は、半導体レーザ６２から出力されたレーザ光（１）を、ミラー６４へ向けてレーザ光（２）として反射する。また、ビームスプリッタ６３は、ＣＤカード１の記録面で反射されたミラー６４からの反射光（４）が入射されると、反射光（４）をフォトセンサ６７へ向けて透過させる。
【００６３】
ミラー６４は、ビームスプリッタ６３から水平に入射するレーザ光（２）を、レンズ６６へ向けて上方へ反射するミラーである。また、ミラー６４は、ＣＤカード１の記録面で反射された反射光をビームスプリッタ６３へ向けて反射する。
【００６４】
レンズ６６は、レンズベース６５に固定されたレンズであって、ミラー６４から入射したレーザ光を、ＣＤカード１の記録面へレーザ光（３）として照射する。レーザ光（３）の焦点は、ＣＤカード１の記録面におけるトラックに合わせられる。
【００６５】
フォトセンサ６７は、ビームスプリッタ６３を透過して入射された反射光（４）の光量を検知するセンサである。
【００６６】
レンズベース６５は、レンズ６６が填め込まれた台座であって、ベース６１に立設されたボイスコイル６８，６８によって支持される。
【００６７】
ボイスコイル６８，６８は、ベース６１とレンズベース６５との間に介設され、レンズベース６５を支持するとともに、レンズベース６５を水平及び垂直方向へ移動させることが可能である。
【００６８】
即ち、レンズ６６の焦点位置がＣＤカード１の記録面のトラック上から水平方向にずれている場合は、ボイスコイル６８，６８によってレンズベース６５を水平に移動させて、レンズ６６の焦点をトラック上に位置するように調整を行える。また、ＣＤカード１の盤の反り等によって、レーザ光（３）の焦点が上方または下方にずれてフォーカスが甘くなった場合は、ボイスコイル６８，６８はレンズベース６５を上下させて、焦点をＣＤカード１のトラック上に合致させる。
【００６９】
このように、光ピックアップ部６においては、半導体レーザ６２により発せられたレーザ光（１）がビームスプリッタ６３及びミラー６４を介してレンズ６６へ入射するので、レンズ６６からＣＤカード１の記録面のトラック上に向けて、レーザ光（３）が照射される。
【００７０】
そして、レーザ光（３）がＣＤカード１の記録面で反射したことによる反射光が、レンズ６６及びミラー６４を介してビームスプリッタ６３へ入射し、ビームスプリッタ６３を透過してフォトセンサ６７へ入射する。そして、フォトセンサ６７によって反射光（４）の光量を検知することにより、ＣＤカード１に記録されたデータが読み出される。
【００７１】
さらに、半導体レーザ６２から出力されるレーザ光（１）の出力値を強くすることで、レーザ光（３）をＣＤカード１の追記エリア１０４へ照射することにより、ＣＤカード１へのデータの書き込みが行える。
【００７２】
また、光ピックアップ部６は、ベース移動軸６９の動作によって、図中、符号Ａ及びＢで示す方向へ移動可能なため、ＣＤカード１の記録面に設けられた全てのトラックにアクセスし、データの読み出しまたは書き込みを行える。
【００７３】
図４は、ドライブ装置５に内蔵される制御系５０の構成を示すブロック図である。この図４に示す制御系５０は、制御部５１、ＲＯＭ（Read Only Memory）５２、入出力インタフェース５３、トラック情報記憶部５４、変換処理部５５、ピックアップ移動制御部５６、カード回転制御部５７、及びローディング制御部５８の各部を備えている。
なお、説明の便宜上、図４には、光ピックアップ部６、ドライブ装置５が備えるスライダモータ５０４、スピンドルモータ５０５、及びローディングモータ５０６を図示する。
【００７４】
制御系５０は、入出力インタフェース５３を介して外部の電子機器と接続されている。ここで、外部の電子機器としては、パーソナルコンピュータや、ＰＤＡ（Personal Digital Assistant）等が挙げられる。制御系５０は、上記外部の電子機器からの指示入力に従って動作し、ＣＤカード１から読み出したデータ等を入出力インタフェース５３を介して出力し、また、入出力インタフェース５３を介して入力されたデータをＣＤカード１に記録する。
【００７５】
制御部５１は、ＲＯＭ５２に格納された各種システムプログラムを読み出して実行することにより、制御系５０の各部を制御する。
具体的には、制御部５１は、トレイ５０２（図１）がケース５０１の外へ出ている状態でスイッチ５０３（図１）が操作されると、トレイ５０２をケース５０１内へ移動させるとともに、トレイ５０２上におけるＣＤカード１の有無を判別し、ＣＤカードアダプタ１０に装着されたＣＤカード１がトレイ５０２に載置されている場合は、ローディング制御部５８によってローディングモータ５０６を駆動制御させて、ＣＤカードアダプタ１０に装着されたＣＤカード１のローディングを行う。
【００７６】
その後、制御部５１は、入出力インタフェース５３を介して入力される指示に従って、ローディング後のＣＤカード１からのデータの読出処理、或いは、データの書込処理を実行する。
【００７７】
ＲＯＭ５２は、ＥＰＲＯＭ、ＥＥＰＲＯＭまたはフラッシュメモリ等の半導体記憶素子により構成され、制御部５１により実行されるシステムプログラム、及び、該システムプログラムに係るデータ等を記憶する。
【００７８】
入出力インタフェース５３は、制御部５１と、外部の電子機器とを互いに接続させるシリアルもしくはパラレルインタフェースであって、複数のピンを備えたコネクタ等を具備している。
【００７９】
トラック情報記憶部５４は、光ピックアップ部６によって読み出されるデータの内、ＣＤカード１のトラック及びセクタの構成を示すデータを保持する記録領域を具備する。
【００８０】
変換処理部５５は、光ピックアップ部６により読み出されたデータを変換して制御部５１へ出力するものであり、例えば、シリアル信号を所定ビット幅のパラレル信号に変換する。また、変換処理部５５はバッファメモリ５５ａを備え、変換中のデータや、光ピックアップ部６から入力されたデータ等を、バッファメモリ５５ａ内に一時的に保持する。
【００８１】
図５は、バッファメモリ５５ａの構成の一例を示す図である。この図５に示すように、バッファメモリ５５ａには、光ピックアップ部６により読み出されたデータを格納する読出データ格納エリア、読出データ格納エリアに格納されたデータを変換処理部５５によって変換して得られるデータを一時的に格納する読出変換後データ格納エリア、及び、ＣＤカード１の追記エリア１０４に書き込むためのデータが変換処理部５５によって変換されて得られるデータを、光ピックアップ部６へ出力するまでの間、一時的に格納する書込用変換データ格納エリア等の各種格納領域が設けられる。バッファメモリ５５ａにおいて、これらの格納領域を設けることにより、ドライブ装置５によるデータの読出動作、及び、追記動作の安定性を向上させることができる。
【００８２】
ピックアップ移動制御部５６は、スライダモータ５０４に接続されており、制御部５１の制御に従ってスライダモータ５０４を駆動制御することにより、光ピックアップ部６のベース６１（図３）を平行移動させる。
【００８３】
カード回転制御部５７は、スピンドルモータ５０５に接続されており、制御部５１の制御に従ってスピンドルモータ５０５を駆動制御して、トレイ５０２に載置されたＣＤカード１を回転させる。
【００８４】
ローディング制御部５８は、ローディングモータ５０６に接続されており、制御部５１の制御に従ってローディングモータ５０６を駆動制御して、トレイ５０２（図２）を移動させるとともに、トレイ５０２に載置されたＣＤカード１を、データの読み出し・書込が可能な位置へ移送するローディング動作を実行する。
【００８５】
図６は、本発明の第１の実施の形態におけるＣＤカード１の構成を示す図であり、（ａ）はＣＤカード１の全体構成を示す斜視図であり、（ｂ）は平面図であり、（ｃ）は側面図であり、（ｄ）は同図（ｃ）とは異なる面を示す側面図であり、（ｅ）はＣＤカード１の記録面１ａの構成を示す平面図である。
なお、図６（ｃ）は、同図（ａ）に符号Ｃで示す方向から見た側面図であり、図６（ｄ）は、同図（ａ）に符号Ｄで示す方向から見た側面図である。
【００８６】
図６（ａ）に示すように、ＣＤカード１は、略長方形の平板形状をなしており、外周の端面には溝１０１が形成されている。
溝１０１は、図６（ｃ）および図６（ｄ）にも示すように、ＣＤカード１の外周全体にわたって形成されているが、一部において形成される構成としても良い。
【００８７】
また、図６（ｂ）に示すように、ＣＤカード１の上面には、ラベル１０２が貼付されている。ラベル１０２は、ＣＤカード１に記録されたデータの内容等をユーザが自由に書き込めるようになっており、同図に示す例では「○○○曲」と楽曲の名前が記載されている。
【００８８】
さらに、図６（ｅ）に示すように、ＣＤカード１の裏面は記録面１ａとなっており、記録面１ａには、読取専用エリア１０３および追記エリア１０４が形成されている。
【００８９】
ＣＤカード１は、後述するドライブ装置５において、ＣＤカードアダプタ１０に一体に装着されることにより、ＣＤ−ＲＯＭ（Compact Disc - Read Only Memory ）と同様の構造を有する。即ち、ＣＤカード１は、ポリカーボネート等の二枚の透明な樹脂板を貼り合わせて形成されており、これら二枚の樹脂板の間には、反射層としての金属箔が挟まれる。また、ＣＤカード１が有する二面のうち一方の面は、レーベル面として印刷等が施され、他方の面は記録面となる。本第１の実施の形態におけるＣＤカード１では、レーベル面にラベル１０２が貼付され、記録面１ａには読取専用エリア１０３および追記エリア１０４が形成される。
【００９０】
ＣＤカード１の記録面側の読取専用エリア１０３においては、データの記録領域として円弧状のトラックが同心円状に複数形成され、さらに各トラックは複数のセクタに分割されている。これらのトラックは、円弧状の光記録トラックとして機能する。また、上記セクタは、デジタルデータを表現する「ピット」と呼ばれる突起と、この突起が無く平坦な「ランド」と呼ばれる部分とで構成される。
【００９１】
上述のように、ＣＤカード１は、反射層として金属箔が挟まれて構成されるので、記録面に照射されたレーザ光を反射するが、「ピット」の部分では突起によってレーザ光が拡散される一方で、「ランド」は平坦なので、「ランド」に照射されたレーザ光は、少ない損失で反射される。
【００９２】
このため、ＣＤカード１の記録面にレーザ光を照射すると、反射光の光量は「ピット」と「ランド」の配置状態に応じて変化する。従って、ＣＤカード１の記録面へレーザ光を照射し、反射光の光量を検知することで、「ピット」と「ランド」で表現されるＣＤカード１上のデータを読み出すことができる。
【００９３】
一方、追記エリア１０４は、データを追記することが可能な記録エリアである。本実施の形態では、一例として、ＣＤ−Ｒ（Compact Disk - Recordable ）と同様に構成されているものとする。
【００９４】
即ち、追記エリア１０４においては、読取専用エリア１０３と同様にトラック及びセクタが形成されており、さらに、ＣＤカード１内の反射層の記録面側には、染料層が封入されている。この染料層は、所定以上の出力のレーザ光の照射によって変質し、上記「ピット」と同様に反射率の低いエリアを形成する。
【００９５】
従って、追記エリア１０４には、所定以上の出力のレーザ光を照射することで、擬似的に「ピット」と「ランド」を形成できるので、「ピット」と「ランド」により表現されるデジタルデータを記録できる。
【００９６】
なお、上記読取専用エリア１０３および追記エリア１０４における各トラックの端部に、トラックの始端および終端位置を示す始端部識別情報および終端部識別情報を記録しても良い。この場合、ドライブ装置５の制御系５０（図４）によって始端部識別情報および終端部識別情報を読み取ることにより、各トラックの始端部および終端部を認識できる。
【００９７】
図７は、図６に示すＣＤカード１のＣＤカードアダプタ１０に対する装着状態を示す図であり、（ａ）は平面図であり、（ｂ）は同図（ａ）中の（III）−（III）線における断面図である。
【００９８】
上述のように、ＣＤカードアダプタ１０は、円盤の一部が欠落した形状をなしており、欠落部分はＣＤカード装着部１３としてＣＤカード１を装着できるようになっている。
【００９９】
図７（ａ）に示すように、ＣＤカード装着部１３には、その内側に向かう端面に外周突起１４が形成されている。ＣＤカードアダプタ１０にＣＤカード１を装着する際には、ＣＤカード１を、ＣＤカードアダプタ１０の外周側からＣＤカード装着部１３に差し込む。これにより、図７（ｂ）に示すように、ＣＤカード１の端面に形成された溝１０１にＣＤカード装着部１３の外周突起１４が係合し、ＣＤカード１がＣＤカード装着部１３に固定される。
【０１００】
また、ＣＤカードアダプタ１０からＣＤカード１を取り外す際には、ＣＤカード１を、ＣＤカードアダプタ１０の外周側へ向けて引き抜けばよいので、ＣＤカード１は容易に着脱可能である。
【０１０１】
ＣＤカードアダプタ１０にＣＤカード１が装着された状態では、ＣＤカードアダプタ１０およびＣＤカード１は、一体となって円盤を形成する。この状態でドライブ装置５にセットされると、ＣＤカードアダプタ１０の穴１１に所定の治具が嵌合されることで、ＣＤカード１およびＣＤカードアダプタ１０が固定される。
【０１０２】
そして、ＣＤカード１が装着されたＣＤカードアダプタ１０は、ドライブ装置５によって、穴１１を中心として回転駆動される。このため、ＣＤカード１における読取専用エリア１０３および追記エリア１０４は、穴１１の同心円に沿って形成される。
【０１０３】
なお、ＣＤカード１が装着されたＣＤカードアダプタ１０は、例えば、直径１２ｃｍ（センチメートル）のＣＤ規格に準じたサイズとしても良いし、或いは、直径８ｃｍのＣＤ規格に準じたサイズにしてもよく、さらに、その他のサイズとすることも容易に可能である。
【０１０４】
図８は、本第１の実施の形態におけるドライブ装置５の動作を示すフローチャートである。なお、ドライブ装置５においては、ＣＤカードアダプタ１０に装着されたＣＤカード１の他、光ディスク１０ａ（図２参照）を駆動することも可能であるが、光ディスク１０ａに関する動作は一般的な光学的記録媒体を駆動するドライブ装置と同様の操作であるので、ここでは説明を省する。
【０１０５】
ドライブ装置５において、スイッチ５０３（図１）が操作されてトレイ５０２がケース５０１内に格納されると、制御部５１は、トレイ５０２上に、ＣＤカードアダプタ１０に装着されたＣＤカード１が載置されているか否かを判別する（ステップＳ１１）。
【０１０６】
ここで、トレイ５０２上に、ＣＤカードアダプタ１０に装着されたＣＤカード１が無ければ、制御部５１は本処理を終了する。
また、ＣＤカードアダプタ１０に装着されたＣＤカード１がトレイ５０２に載置されていた場合には、制御部５１はローディング制御部５８を制御して、ローディングモータ５０６にローディング動作を実行させ、ＣＤカードアダプタ１０に装着されたＣＤカード１をデータ読出処理及びデータ書込処理が可能な位置まで移動させる（ステップＳ１２）。
以下、ＣＤカード１は、既にＣＤカードアダプタ１０に装着されてトレイ５０２に載置されているものとする。
【０１０７】
続いて、制御部５１は、カード回転制御部５７によってローディングモータ５０６を駆動させ、光ピックアップ部６によるＣＤカード１の読み取りを実行させて、ＣＤカード１に記録された各種のデータの中でＣＤカード１のトラック及びセクタの構成を示すデータを読み取らせ（ステップＳ１３）、トラック情報記憶部５４に格納させる（ステップＳ１４）。
【０１０８】
制御部５１は、その後、入出力インタフェース５３を介して接続された外部の電子機器から、ＣＤカード１内のデータの読み出し、或いはＣＤカード１へのデータの書き込みの指示が入力されるまで待機する（ステップＳ１５，１７）。
【０１０９】
そして、ＣＤカード１内のデータの読み出しが指示されると（ステップＳ１５；Ｙｅｓ）、制御部５１は、ＣＤカード１の読取専用エリア１０３に記録されたデータ、或いは、追記エリア１０４に既に記録済みのデータを読み出す処理を実行する（ステップＳ１６）。
【０１１０】
また、ドライブ装置５にセットされたＣＤカード１へのデータの書き込みが指示されると（ステップＳ１６；Ｙｅｓ）、制御部５１は、ＣＤカード１の追記エリア１０４若しくは光ディスク１０ａの記録領域に対するデータの書き込みを実行する（ステップＳ１８）。
【０１１１】
その後、制御部５１は、ローディングされているＣＤカード１に対する処理が完了したか否かを判別し（ステップＳ１９）、完了していなければステップＳ１５に戻る。
【０１１２】
図９は、図８のステップＳ１６に示すデータ読出処理を、より詳細に示すフローチャートである。
制御部５１は、入出力インタフェース５３に接続された外部の電子機器から入力されたデータ読み出し指示をもとに、ＣＤカード１においてデータ読み出しの開始位置、及び終了位置を取得する（ステップＳ２１）。即ち、制御部５１は、トラック情報記憶部５４に格納された情報をもとに、ＣＤカード１においてデータ読み出しを行うべきトラック、セクタを特定し、さらに各セクタからデータを読み出す順序を決定する。
【０１１３】
続いて、制御部５１は、ピックアップ移動制御部５６を制御してスライダモータ５０４を駆動制御させ、最初にデータを読み出す対象のトラック位置へ、光ピックアップ部６を移動させる（ステップＳ２２）。
【０１１４】
そして、制御部５１は、光ピックアップ部６においてレンズ６６上に位置するセクタを特定し、終端のセクタが通過した後か否かを判別する（ステップＳ２３）。ここで、終端のセクタが通過していなければ、レンズ６６の真上にはＣＤカード１の記録面が位置しており、終端のセクタが通過した後は、レンズ６６の真上にはＣＤカード１が位置していない状態となる。
【０１１５】
従って、終端のセクタが通過する前であった場合（ステップＳ２３；Ｎｏ）は、光ピックアップ部６によって指定セクタのデータを読み出させ（ステップＳ２４）、読み出されたデータの変換処理を変換処理部５５によって実行させ（ステップＳ２５）、さらに、変換後のデータをバッファメモリ５５ａに格納させて（ステップＳ２６）、ステップＳ２９へ移行する。
【０１１６】
また、レンズ６６上を終端のセクタが通過した後であった場合には（ステップＳ２３；Ｙｅｓ）、制御部５１は、光ピックアップ部６におけるデータの読み出しを停止させ（ステップＳ２７）、その後、レンズ６６上に先端セクタが位置するまで待機する（ステップＳ２８）。
【０１１７】
先端セクタとは、ＣＤカード１の端部付近において、トラックの端部に位置するセクタである。レンズ６６は円形でないＣＤカード１のトラックからのデータ読み出しを試行するので、レンズ６６からのレーザ光（３）（図４）がＣＤカード１によって反射される状態と、レンズ６６の上方にＣＤカード１が存在せず、レーザ光（３）が反射されない状態とが交互に発生する。そして、レンズ６６の上方に先端セクタが位置した瞬間から、レンズ６６の上方に終端セクタが位置する瞬間までは、ＣＤカード１によってレーザ光（３）が反射され、データの読み出しが可能になる。
【０１１８】
制御部５１は、ステップＳ３２で先端セクタに到達したと判別した場合、ステップＳ３３へ移行して、現在レンズ６６上に位置しているトラックにおける読み出しが全て終了したか否かを判別し、終了していなければステップＳ２３に戻り、終了していればステップＳ３０へ移行する。
【０１１９】
ステップＳ３０で、制御部５１は、ＣＤカード１の全トラックにおける処理が完了したか否かを判別し、該ＣＤカード１についてデータの読み出し処理を継続して行う場合はステップＳ２２に戻って、次の対象のトラック位置へ光ピックアップ部６を移動させ、処理を継続する。
【０１２０】
図１０は、図８のステップＳ１８に示すデータ書込処理を、より詳細に示すフローチャートである。
【０１２１】
制御部５１は、入出力インタフェース５３に接続された外部の電子機器から入力されたデータ書き込み指示に応じて、ＣＤカード１でデータ書き込みが可能な領域の先頭のトラック及びセクタを特定し、ピックアップ移動制御部５６を制御してスライダモータ５０４を駆動制御させ、光ピックアップ部６を移動させる（ステップＳ４１）。
【０１２２】
次に、制御部５１は、光ピックアップ部６においてレンズ６６上に位置するセクタを特定し、終端のセクタが通過した後か否かを判別する（ステップＳ４２）。
【０１２３】
終端のセクタが通過する前であった場合（ステップＳ４２；Ｎｏ）は、上記外部の電子機器から入力された書き込み用のデータを変換処理部５５によって変換させ、変換後のデータをバッファメモリ５５ａに格納させる（ステップＳ４３）。
【０１２４】
制御部５１は、その後、バッファメモリ５５ａに格納された変換後のデータを読み出して（ステップＳ４４）、光ピックアップ部６によって、ＣＤカード１の追記エリア１０４へデータの書き込みを実行させて（ステップＳ４５）、後述するステップＳ４８へ移行する。
【０１２５】
また、レンズ６６上を終端のセクタが通過した後であった場合には（ステップＳ４２；Ｙｅｓ）、制御部５１は、光ピックアップ部６におけるデータの書き込みを停止させ（ステップＳ４６）、その後、レンズ６６上に先端セクタが位置するまで待機する（ステップＳ４７）。そして、制御部５１は、先端セクタに到達したと判別した場合は、ステップＳ４８へ移行する。
【０１２６】
ステップＳ４８では、現在レンズ６６上に位置しているトラックにおけるデータ書き込みが全て終了したか否かを判別し、終了していなければステップＳ４６に戻り、終了していればステップＳ４９へ移行する。
【０１２７】
ステップＳ４９で、制御部５１は、ＣＤカード１の全トラックにおける処理が完了したか否かを判別し、該ＣＤカード１についてデータの書き込み処理を継続して行う場合はステップＳ４１に戻る。
【０１２８】
以上のように、本発明の第１の実施の形態においては、ＣＤカード１は、読取専用エリア１０３及び追記エリア１０４を備えるので、読取専用エリア１０３に記録されたデータをドライブ装置５によって読み出し、さらに、新たなデータを追記エリア１０４に書き込むことが可能である。また、追記エリア１０４に書き込まれたデータは、読取専用エリア１０３に記録されたデータと同様に読み出すことができる。
【０１２９】
ＣＤカード１は略長方形のカード型であるため、各種のケース、鞄、袋や衣服のポケット等に容易に収容することができ、携帯に好適である。また、一般的に用いられているクレジットカードや名刺等の形状に似せて、携帯時の負担を軽くすることも可能である。
【０１３０】
特に、ＣＤカード１をドライブ装置５にセットする際には、ＣＤカード１はＣＤカードアダプタ１０に装着される。このため、ＣＤカードアダプタ１０の使用を前提とすれば、ＣＤカード１はＣＤカードアダプタ１０や光ディスク１０ａに比べて非常に小さいサイズにすることができ、手軽に携帯できる。また、ＣＤカード１の携帯時には、ＣＤカード１を所定のケースに入れるようにしても良い。この場合、ＣＤカード１が小型であることから、ＣＤカード１をケースに入れても携帯時の利便性が損なわれることが無く、データの記録媒体としての信頼性と携帯時の利便性との両方を具備する優れた記録媒体として利用できる。
【０１３１】
さらに、ＣＤカード１の読取専用エリア１０３及び追記エリア１０４は、ＣＤ−ＲＯＭ、ＣＤ−Ｒや、その他の記録媒体と同様に構成されるので、ＣＤカード１は、高い信頼性を確保しながら低コストで提供できる。
【０１３２】
また、ＣＤカード１の読取専用エリア１０３及び追記エリア１０４は同心円状に配設されるため、ＣＤやＤＶＤ等の従来のディスク型記録媒体と同様に、ドライブ装置５によって回転駆動させてデータの読み出し等を行うことができる。このため、ＣＤカード１に対してデータを読み出し、或いは追記するドライブ装置５は、低コストで実現可能である。特に、ＣＤカード１を、従来のディスク型記録媒体と互換性を有する構成とすれば、ドライブ装置５は、非常に低コストで製造可能である。
【０１３３】
ＣＤカード１に形成される読取専用エリア１０３及び追記エリア１０４を、光学的に読み取り可能なものとすることにより、読取専用エリア１０３及び追記エリア１０４における記録容量の大容量化を図ることができる。このため、携帯時の利便性に優れ、かつ、大容量の記録媒体として利用できる。
【０１３４】
なお、以上の実施の形態において、ＣＤカード１においては、円形トラックを有する読取専用エリア１０３と、その外側に形成された追記エリア１０４とを具備する構成としたが、読取専用エリア１０３と追記エリア１０４とが逆の位置に形成された構成としてもよい。
【０１３５】
また、光ピックアップ部６においては、フォトセンサ６７により検知される反射光（４）の光量によって、レンズ６６の上方におけるＣＤカード１の有無を検知する構成としたが、本発明はこれに限定されず、例えば、ＣＤカード１の所定位置に、ＣＤカード１のトラック構成、セクタ構成、及び、その形状についての情報を記録しておき、トラック情報記憶部５４に記憶される構成とすれば、制御部５１は、ＣＤカード１の形状とセクタの位置との関係を求めることができる。この場合、フォトセンサ６７等によりＣＤカード１の形状を逐次検知する必要がなく、より速やかに処理を行うことができる。
【０１３６】
さらに、ＣＤカード１におけるトラックの幅や間隔は、ＣＤ規格に準じたものに限定されず、例えば、データの書き込み及び読み出しを容易にするため、トラック間隔がより広い構成としても良い。
【０１３７】
また、上記実施の形態におけるＣＤカード１では、追記エリア１０４を、ＣＤ−Ｒと同様に書き込み可能な構成としたが、ＣＤ−ＲＷ（Compact Disc ReWritable ）やＰＤと同様に、相変化型の記録層を備える構成としたり、或いはＭＯ（Magneto-Optic ）ディスクと同様の構成として、複数回のデータの書き込み及び消去が可能な構成としても良い。
さらに、読取専用エリア１０３をＤＶＤ−ＲＯＭと同様に構成し、追記エリア１０４を、ＤＶＤ−Ｒ、ＤＶＤ＋ＲＷ、ＤＶＤ−ＲＡＭと同様に構成することも可能である。この場合、より大きい記録容量を確保することができる。また、その他の細部構成等についても適宜に変更可能であることは勿論である。
【０１３８】
また、ＣＤカード１において、データの記録・書込が可能な半導体記憶素子や、非接触型ＩＣカードに利用されるデータキャリア用電磁誘導発生コイルを備える構成としても良い。
【０１３９】
さらに、以上の第１の実施の形態においては、ＣＤカード１を略長方形のカード状としたが、本発明はこれに限定されるものではなく、対応するＣＤカードアダプタ１０におけるＣＤカード装着部１３の形状と一致していれば、他の多角形等、任意の形状に構成できる。
ここで、上記ＣＤカード１とは異なる形状のＣＤカードおよび対応するＣＤカードアダプタについて、図１１〜図１３を参照し、第２の実施の形態および第３の実施の形態として説明する。
【０１４０】
〔第２の実施の形態〕
図１１は、本発明の第２の実施の形態におけるＣＤカードアダプタ２０およびＣＤカード２の構成を示す図であり、（ａ）はＣＤカードアダプタ２０の断面図であり、（ｂ）はＣＤカードアダプタ２０の平面図であり、（ｃ）はＣＤカード２の断面図であり、（ｄ）はＣＤカード２の平面図である。
【０１４１】
図１１（ａ）および（ｂ）に示すように、ＣＤカードアダプタ２０は、上記ＣＤカードアダプタ１０と同様に円盤の一部が欠落した形状をなしており、欠落部分には後述するＣＤカード２が装着されるようになっている。
また、ＣＤカードアダプタ２０には、上記ＣＤカードアダプタ１０と同様に穴２１および支持部２２が形成されている。ここで、穴２１は、ドライブ装置５に装着される際にドライブ装置５が有する治具が挿入される挿入孔として機能する。
【０１４２】
ＣＤカード２を装着するため、ＣＤカードアダプタ２０の上記欠落部分にはＣＤカード支持突起２３が形成されている。ＣＤカード支持突起２３は、ＣＤカードアダプタ２０の底面と同一平面をなすように形成されている。
【０１４３】
一方、図１１（ｃ）および（ｄ）に示すように、ＣＤカード２は、上記ＣＤカード１と同様の略長方形の平板形状をなしており、裏面は記録面２ａとなっていて、読取専用エリア２０３および追記エリア２０４が形成されている。読取専用エリア２０３および追記エリア２０４の構成は、上記ＣＤカード１における読取専用エリア１０３および追記エリア１０４と同様である。
【０１４４】
ＣＤカード２は、本体部２０１と係合部２０２とにより構成される。本体部２０１はＣＤカード２の本体となる部分である。そして、本体部２０１の下部においては、本体部２０１よりも一回り小さい長方形をなすように端部が削られており、係合部２０２となっている。
本体部２０１と係合部２０２とにより生じる段差は、同図（ａ）および（ｂ）に示すＣＤカード支持突起２３に係合する。
【０１４５】
従って、ＣＤカードアダプタ２０の上方からＣＤカード２をはめ込むことにより、ＣＤカード２をＣＤカードアダプタ２０に装着することができる。また、ＣＤカード２をＣＤカードアダプタ２０から取り外す際には、ＣＤカード２を下方から押し上げるように力を加えればよい。
これにより、着脱が容易なＣＤカード２およびＣＤカードアダプタ２０を提供することができる。
【０１４６】
〔第３の実施の形態〕
図１２は、本発明の第３の実施の形態におけるＣＤカードアダプタ３０およびＣＤカード３の構成を示す図であり、（ａ）はＣＤカードアダプタ３０の断面図であり、（ｂ）はＣＤカードアダプタ３０の平面図であり、（ｃ）はＣＤカード３の断面図であり、（ｄ）はＣＤカード３の平面図である。
【０１４７】
図１２（ａ）および（ｂ）に示すように、ＣＤカードアダプタ３０は、上記ＣＤカードアダプタ１０と同様に円盤の一部が欠落した形状をなしており、また、ＣＤカードアダプタ３０の外形となる円の中心に相当する位置には、穴３１が設けられ、穴３１の周囲には支持部３２が形成されている。
【０１４８】
ＣＤカードアダプタ３０においては、ＣＤカードアダプタ３０の外形をなす円の円周から、穴３１の近傍にわたって上記欠落部分が形成されている。さらに、穴３１の周囲は他の部分に比べて薄く形成されており、支持部３２となっている。
そして、上記欠落部分の縁には、支持部３２と同じ厚みのＣＤカード支持突起３３が形成されている。
また、支持部３２およびＣＤカード支持突起３３は、その下面がＣＤカードアダプタ３０の下面と同一平面上に位置するように形成されている。
【０１４９】
一方、図１２（ｃ）および（ｄ）に示すように、ＣＤカード３は、略長方形の平板形状をなしており、一端側には穴３０２が形成されている。穴３０２の形状およびサイズは上記ＣＤカードアダプタ３０の穴３１と共通である。
【０１５０】
また、ＣＤカード３は、裏面側の一部が表面側よりも小さいサイズになっており、表面側は本体部３０１、裏面側は係合部３０３となっている。
そして、係合部３０３はＣＤカードアダプタ３０の上記欠落部分に等しい形状となっており、係合部３０３以外の部分は、ＣＤカードアダプタ３０の支持部３２およびＣＤカード支持突起３３の上面と等しい。このため、本体部３０１と係合部３０３とのサイズの差による段差は、ＣＤカードアダプタ３０の支持部３２およびＣＤカード支持突起３３に係合する。
【０１５１】
さらに、ＣＤカード３の裏面側は記録面３ａとなっており、読取専用エリア３０４および追記エリア３０５が形成されている。読取専用エリア３０４および追記エリア３０５の構成は、上記ＣＤカード１における読取専用エリア１０３および追記エリア１０４と同様である。
【０１５２】
図１３は、ＣＤカードアダプタ３０に対してＣＤカード３を装着した状態を示す平面図である。同図に示すように、ＣＤカード３がＣＤカードアダプタ３０に装着された状態では、本体部３０１と穴３１とが一致している。
【０１５３】
従って、ＣＤカードアダプタ３０の上方から、穴３１と穴３０２とが一致するようにＣＤカード３をＣＤカードアダプタ２０に装着することにより、ＣＤカード３とＣＤカードアダプタ３０とは一体となる。また、ＣＤカードアダプタ３０に装着されたＣＤカード３を下方から押し上げるように移動させると、ＣＤカード３をＣＤカードアダプタ３０から取り外すことができる。
【０１５４】
ＣＤカード３およびＣＤカードアダプタ３０は容易に着脱可能である。さらに、ＣＤカード３をＣＤカードアダプタ３０に装着して上記ドライブ装置５（図１参照）にセットすると、ドライブ装置５内の治具がＣＤカードアダプタ３０の穴３１に嵌合する。ここで、ドライブ装置５の治具は穴３１とともに穴３０２にも嵌合するので、ＣＤカード３とＣＤカードアダプタ３０とは強固に結合される。
このため、ＣＤカードアダプタ３０に装着されたＣＤカード３は、ドライブ装置５によって駆動されている間はより強固に一体となっており、ＣＤカードアダプタ３０からＣＤカード３が脱落する恐れが全くないので、信頼性をより一層向上させることができる。また、ＣＤカード３がＣＤカードアダプタ３０に装着される際の結合強度が比較的低くても、ドライブ装置５によって駆動する際には何ら問題とならないので、ＣＤカード３およびＣＤカードアダプタ３０の結合部分における構造を単純化して、低コスト化を図ることも可能である。
【０１５５】
〔第４の実施の形態〕
続いて、図１４から図１７の各図を参照して、本発明の第４の実施の形態について説明する。
【０１５６】
図１４は、本発明の第４の実施の形態における光ピックアップ部７の構成を示す斜視図である。同図に示す光ピックアップ部７は、上記第１の実施の形態における光ピックアップ部６とほぼ同様に構成されるため、共通部分には同符号を付して説明を省略する。また、本第２の実施の形態においては、上記第１の実施の形態におけるＣＤカード１を用い、さらに、ドライブ装置５において、光ピックアップ部７を除く各部は同様に構成されるので、共通部分には同符号を付して図示及び説明を省略する。
【０１５７】
また、本第４の実施の形態においては、上記ＣＤカード１は、透明な構成のＣＤカードアダプタ１０に装着されているものとして説明する。
【０１５８】
光ピックアップ部７においては、発光部７１及び受光部７２によってなる光センサ７０が配設されている。受光部７２はベース６１に立設され、上方からの光の有無を検知する。また、受光部７２の上方には、受光部７２に対向し、受光部７２へ向かって光を発する発光部７１が配設されている。
【０１５９】
従って、光センサ７０は、発光部７１から出力された光が受光部７２によって受光されるか否かを検知することで、発光部７１と受光部７２との間における物体の有無を検知するものである。
【０１６０】
そして、発光部７１及び受光部７２は、ＣＤカード１上においてレンズ６６によりレーザ光が照射されるトラックと同一のトラック上に位置するように配設される。
【０１６１】
このように構成される光ピックアップ部７を具備したドライブ装置５における動作について、図１５のフローチャートを参照して説明する。
【０１６２】
ドライブ装置５において、スイッチ５０３（図１）が操作されてトレイ５０２がケース５０１内に格納されると、制御部５１は、トレイ５０２にＣＤカード１が載置されているか否かを判別する（ステップＳ６１）。
【０１６３】
ここで、ＣＤカード１が無ければ、制御部５１は本処理を終了する。また、ＣＤカード１がトレイ５０２に載置されていた場合には、制御部５１はローディング制御部５８を制御して、ローディングモータ５０６にローディング動作を実行させ、ＣＤカード１をデータ読出処理及びデータ書込処理が可能な位置まで移動させる（ステップＳ６２）。
【０１６４】
制御部５１は、その後、入出力インタフェース５３を介して接続された外部の電子機器から、ＣＤカード１内のデータの読み出し指示、或いは書き込み指示が入力されるまで待機する（ステップＳ６３，６５）。
【０１６５】
ここで、ＣＤカード１内のデータの読み出しが指示されると（ステップＳ６３；Ｙｅｓ）、制御部５１は、ＣＤカード１の読出専用エリア１３に記録されたデータ、または、追記エリア１４に既に記録済みのデータを読み出す処理を実行する（ステップＳ６４）。
【０１６６】
また、ＣＤカード１へのデータの書き込みが指示されると（ステップＳ６５；Ｙｅｓ）、制御部５１は、ＣＤカード１の追記エリア１４に対するデータの書き込みを実行する（ステップＳ６６）。
【０１６７】
その後、制御部５１は、ローディングされているＣＤカード１に対する処理が完了したか否かを判別し（ステップＳ６７）、完了していなければステップＳ６３に戻る。
【０１６８】
図１６は、図１５のステップＳ６４に示すデータ読出処理を、より詳細に示すフローチャートである。
制御部５１は、入出力インタフェース５３に接続された外部の電子機器から入力されたデータ読み出し指示をもとに、ＣＤカード１においてデータ読み出しの開始位置、及び終了位置を取得する（ステップＳ７１）。即ち、制御部５１は、トラック情報記憶部５４に格納された情報をもとに、ＣＤカード１においてデータ読み出しを行うべきトラック、セクタを特定し、さらに各セクタからデータを読み出す順序を決定する。
【０１６９】
続いて、制御部５１は、ピックアップ移動制御部５６を制御してスライダモータ５０４を駆動制御させ、最初にデータを読み出す対象のトラック位置へ、光ピックアップ部７を移動させる（ステップＳ７２）。
【０１７０】
制御部５１は、カード回転制御部５７を制御してスピンドルモータ５０５を駆動させ、ＣＤカード１に装着されたＣＤカード１を回転させるとともに、光センサ７０の発光部７１から受光部７２へ向けて光を照射させ、この光の受光部７２における検知状態を取得する（ステップＳ７３）。
【０１７１】
そして、制御部５１は、受光部７２における検知状態をもとに、レンズ６６の上方にＣＤカード１が位置しているか否かを判別する（ステップＳ７４）。
【０１７２】
ここで、受光部７２によって発光部７１からの光が検知されず、ＣＤカード１の存在が検知された場合には（ステップＳ７４；Ｎｏ）、制御部５１は、対象トラック上で指定されたセクタにおけるデータを読み出させ（ステップＳ７５）、バッファメモリ５５ａに一時的に格納させる。
【０１７３】
さらに、制御部５１は、読み出されたデータについて変換処理部５５で変換処理を実行させて（ステップＳ７６）、変換後のデータをバッファメモリ５５ａに格納させ（ステップＳ７７）、後述するステップＳ８０へ移行する。
【０１７４】
また、発光部７１から発せられた光が受光部７２によって受光され、レンズ６６の上方においてＣＤカード１が検知されなくなった場合は（ステップＳ７４；Ｙｅｓ）、レンズ６６の真上にはＣＤカード１ではなくＣＤカードアダプタ１０の一部が位置しているので、制御部５１は光ピックアップ部７によるデータの読み出しを停止させ（ステップＳ７８）、ステップＳ７９へ移行する。
【０１７５】
ステップＳ７９では、現在レンズ６６上に位置しているトラックにおける読み出しが全て終了したか否かを判別し、終了していなければステップＳ７４に戻り、終了していればステップＳ８０へ移行する。
【０１７６】
ステップＳ８０で、制御部５１は、ＣＤカード１の全トラックにおける処理が完了したか否かを判別し、該ＣＤカード１についてデータの読み出し処理を継続して行う場合はステップＳ７２に戻って、次の対象のトラック位置へ光ピックアップ部７を移動させ、処理を継続する。
【０１７７】
図１７は、図１５のステップＳ６６に示すデータ書込処理を、より詳細に示すフローチャートである。
【０１７８】
制御部５１は、入出力インタフェース５３に接続された外部の電子機器から入力されたデータ書き込み指示に応じて、ＣＤカード１でデータ書き込みが可能な領域の先頭のトラック及びセクタを特定し、ピックアップ移動制御部５６を制御してスライダモータ５０４を駆動制御させ、光ピックアップ部７を移動させる（ステップＳ９１）。
【０１７９】
そして、制御部５１は、カード回転制御部５７を制御してスピンドルモータ５０５を駆動させ、ＣＤカード１を回転させるとともに、光センサ７０の発光部７１から受光部７２へ向けて光を照射させ、受光部７２における受光状態を取得する（ステップＳ９２）。
【０１８０】
そして、制御部５１は、受光部７２における受光状態をもとに、レンズ６６の上方にＣＤカード１が位置しているか否かを判別する（ステップＳ９３）。
【０１８１】
ここで、受光部７２によって発光部７１からの光が検知されず、ＣＤカード１の存在が検知された場合には（ステップＳ９３；Ｎｏ）、制御部５１は、上記外部の電子機器から入力された書き込み用データを変換処理部５５によって変換させ、バッファメモリ５５ａに格納させる（ステップＳ９４）。
【０１８２】
続いて、制御部５１は、バッファメモリ５５ａからデータを読み出して（ステップＳ９５）、光ピックアップ部７によって指定セクタへデータを書き込ませて（ステップＳ９６）、後述するステップＳ９９へ移行する。
【０１８３】
また、発光部７１から発せられた光が受光部７２によって受光され、レンズ６６の上方でＣＤカード１が検知されなくなった場合は（ステップＳ７４；Ｙｅｓ）、レンズ６６の真上にはＣＤカード１ではなくＣＤカードアダプタ１０の一部が位置しているので、制御部５１は光ピックアップ部７によるデータの書き込みを停止させ（ステップＳ９７）、ステップＳ９８へ移行する。
【０１８４】
ステップＳ９８では、現在レンズ６６上に位置しているトラックにおける書き込みが全て終了したか否かを判別し、終了していなければステップＳ９３に戻り、終了していればステップＳ９９へ移行する。
【０１８５】
ステップＳ９９で、制御部５１は、ＣＤカード１の全トラックにおける処理が完了したか否かを判別し、該ＣＤカード１についてデータの書き込み処理を継続して行う場合はステップＳ９１に戻る。
【０１８６】
以上のように、本発明の第２の実施の形態によれば、ドライブ装置５が具備する光ピックアップ部７は、ＣＤカードアダプタ１０が透明であり、光の透過性においてＣＤカード１とは異なる性質を有する事を利用して、発光部７１及び受光部７２によってなる光センサ７０によってＣＤカード１の有無を検知し、ＣＤカード１に記録されたデータの読み出し及びデータの書き込みを実行する際に、ＣＤカード１がレンズ６６の上方に存在しない場合はデータの読み出し及び書き込みを停止させる。
【０１８７】
これにより、ドライブ装置５は、ＣＤカード１の位置を光センサ７０における検知結果に応じて速やかに検知して適宜動作状態を切り換えることにより、効率よく、速やかにＣＤカード１からのデータ読み出し及びデータの書き込みが行える。
【０１８８】
即ち、ＣＤカードアダプタ１０にＣＤカード１を装着してなる円盤においては、ＣＤカード１は一部を占めるにすぎない。このため、読取専用エリア１０３および追記エリア１０４におけるデータの読出・書込は、ＣＤカード１が装着されたＣＤカードアダプタ１０を回転駆動している間の一部の時間帯においてのみ可能である。
【０１８９】
本第４の実施の形態における光ピックアップ部７を具備するドライブ装置５によれば、ＣＤカードアダプタ１０にＣＤカード１を装着してなる円盤において、ＣＤカード１の位置を予め記憶しておかなくても、随時、動作を切り換えて、ＣＤカード１がレンズ６６の上方に位置する場合にのみデータの読出・書込動作を行う。このため、非常に効率よくＣＤカード１を駆動できる。さらに、ＣＤカード１におけるトラックの配置が制限されないので、ＣＤカード１の記録面を有効に利用してより大きな記録容量を確保できる。
【０１９０】
なお、上記第４の実施の形態においては、ＣＤカード１のトラックの形状については特に制限しない構成としたが、例えば、ＣＤカード１の端部に位置するセクタには、該セクタを他のセクタと識別するためのマーキングを施しても良い。この場合、光センサ７０により、レンズ６６の上方におけるＣＤカード１の有無ではなく、レンズ６６の上方に相当する部分の、ＣＤカード１上における位置を取得できるので、ＣＤカード１の回転状態を判別することができる。
また、ＣＤカードアダプタ１０を透明な構成としたが、発光部７１から出力される光が透過し、かつ、その透過状態がＣＤカード１とは異なるのであれば、半透明であっても良いし、発光部７１からの出力光の波長に合わせて各種の着色を施すことも勿論可能である。
【０１９１】
〔第５の実施の形態〕
次いで、図１８から図２１を参照して、本発明の第５の実施の形態について説明する。図１８は、本発明の第５の実施の形態におけるＣＤカードアダプタ４０の構成を示す平面図であり、（ａ）はＣＤカードアダプタ４０の構成を示し、（ｂ）はＣＤカードアダプタ４０に対するＣＤカード１の装着状態を示す。
【０１９２】
なお、本第５の実施の形態においては、ＣＤカード１、ドライブ装置５及びドライブ装置５が備える光ピックアップ部６の構成については、上記第１の実施の形態と同様の構成によってなるものであり、同符号を付して図示及び説明を省略する。
【０１９３】
図１８（ａ）に示すように、ＣＤカードアダプタ４０は、略円盤形状をなしており、外周をなす円周から中心に向かう４つの欠落部分が形成されており、これら欠落部分はＣＤカード装着部４３，４４，４５，４６となっている。
【０１９４】
また、ＣＤカードアダプタ４０の中心には、上記ＣＤカードアダプタ１０と同様に穴４１および支持部４２が形成されている。
ＣＤカードアダプタ４０は、上記ＣＤカードアダプタ１０と同様に樹脂等によってなるものである。
【０１９５】
図１８（ｂ）に示すように、ＣＤカード装着部４３，４４，４５，４６には、それぞれ、ＣＤカード１（図６）を装着可能である。従って、ＣＤカードアダプタ４０には、４枚のＣＤカード１を装着することができる。
そして、ＣＤカードアダプタ４０と、ＣＤカードアダプタ４０に装着された４枚のＣＤカード１によって欠落のない円盤が構成される。この円盤は、上記ドライブ装置５（図１）によって駆動可能である。
【０１９６】
図１９は、ＣＤカードアダプタ４０に対するドライブ装置５の動作を示すフローチャートである。
【０１９７】
ドライブ装置５において、スイッチ５０３（図１）が操作されてトレイ５０２がケース５０１内に格納されると、制御部５１は、トレイ５０２にＣＤカード１が装着されたＣＤカードアダプタ４０が載置されているか否かを判別する（ステップＳ１１１）。
【０１９８】
ここで、ＣＤカード１が装着されたＣＤカードアダプタ４０が無ければ、制御部５１は本処理を終了する。
また、ＣＤカード１が装着されたＣＤカードアダプタ４０がトレイ５０２に載置されていた場合には、制御部５１はローディング制御部５８を制御して、ローディングモータ５０６にローディング動作を実行させ、ＣＤカード１をデータ読出処理及びデータ書込処理が可能な位置まで移動させる（ステップＳ１１２）。
以下、ＣＤカードアダプタ４０には４枚のＣＤカード１が装着されているものとして説明する。
【０１９９】
続いて、制御部５１は、カード回転制御部５７によってローディングモータ５０６を駆動させるとともに、ピックアップ移動制御部５６によりスライダモータ５０４を駆動させて、ＣＤカードアダプタ４０に装着された複数のＣＤカード１における全てのトラックの形状及び全セクタの位置に関する情報を取得する（ステップＳ１１３）。
なお、ステップＳ１１３では、例えば、光ピックアップ部６のフォトセンサ６７で検知される反射光（４）の光量によって、ＣＤカード１のトラックがレンズ６６上にあるか否かを判別することで、ＣＤカード１の各トラックの形状を検知しても良いし、或いは、上記第２の実施の形態における光ピックアップ部７を用い、光センサ７０によってＣＤカード１の形状を検知するようにしても良い。
制御部５１は、その後、ステップＳ１１３で取得した情報をトラック情報記憶部５４に格納させる（ステップＳ１１４）。
【０２００】
制御部５１は、入出力インタフェース５３を介して接続された外部の電子機器から、ＣＤカード１内のデータの読み出し、或いはＣＤカード１へのデータの書き込みの指示が入力されるまで待機する（ステップＳ１１５，１１７）。
【０２０１】
そして、ＣＤカード１内のデータの読み出しが指示されると（ステップＳ１１５；Ｙｅｓ）、制御部５１は、ＣＤカード１の読出専用エリア１３に記録されたデータ、または、追記エリア１４に既に記録済みのデータを読み出す処理を実行する（ステップＳ１１６）。
【０２０２】
また、ＣＤカード１へのデータの書き込みが指示されると（ステップＳ１１６；Ｙｅｓ）、制御部５１は、ＣＤカード１の追記エリア１４に対するデータの書き込みを実行する（ステップＳ１１８）。
【０２０３】
その後、制御部５１は、ローディングされているＣＤカードアダプタ４０に対する処理が完了したか否かを判別し（ステップＳ１１９）、完了していなければステップＳ１１１に戻る。
【０２０４】
図２０は、図１９のステップＳ１１６に示すデータ読出処理をより詳細に示すフローチャートである。
【０２０５】
制御部５１は、入出力インタフェース５３に接続された外部の電子機器から入力されたデータ読み出し指示をもとに、ＣＤカードアダプタ４０に装着されたＣＤカード１においてデータ読み出しの開始位置、及び終了位置を取得する（ステップＳ１２１）。即ち、制御部５１は、トラック情報記憶部５４に格納された情報をもとに、ＣＤカード１においてデータ読み出しを行うべきトラック、セクタを特定し、さらに各セクタからデータを読み出す順序を決定する。
【０２０６】
続いて、制御部５１は、ピックアップ移動制御部５６を制御してスライダモータ５０４を駆動制御させ、最初にデータを読み出す対象のトラック位置へ、光ピックアップ部６を移動させる（ステップＳ１２２）。
【０２０７】
そして、制御部５１は、ＣＤカードアダプタ４０に装着されたＣＤカード１のうち、読み出し対象のＣＤカード１について、該ＣＤカード１について読み出しを行うのが最初か否かを判別し（ステップＳ１２３）、最初の読み出しである場合は、当該ＣＤカード１においてデータが記録されているトラックのトラックＮｏ．を取得し（ステップＳ１２４）、バッファメモリ５５ａに格納する（ステップＳ１２５）。
【０２０８】
続いて、制御部５１は、ＣＤカードアダプタ４０に装着された４枚のＣＤカード１，１，１，１の全てについてステップＳ１２３〜ステップＳ１２５の処理を実行したか否かを判別し（ステップＳ１２６）、完了していなければステップＳ１２３に戻り、完了したのであれば、ステップＳ１２７へ移行する。
【０２０９】
また、該ＣＤカード１についての読み出しが最初でない場合は（ステップＳ１２３；Ｎｏ）、ステップＳ１２６にそのままステップＳ１２６に以降する。
【０２１０】
そして、制御部５１は、光ピックアップ部６においてレンズ６６上に位置するセクタを特定し、終端のセクタが通過した後か否かを判別する（ステップＳ１２７）。ここで、終端のセクタが通過していなければ、レンズ６６の真上にはＣＤカード１の記録面が位置しており、終端のセクタが通過した後は、レンズ６６の真上にはＣＤカード１が位置していない状態となる。
【０２１１】
従って、終端のセクタが通過する前であった場合（ステップＳ１２７；Ｎｏ）は、光ピックアップ部６によって指定セクタのデータを読み出させ（ステップＳ１２８）、読み出されたデータの変換処理を変換処理部５５によって実行させ（ステップＳ１２９）、さらに、変換後のデータをバッファメモリ５５ａに格納させて（ステップＳ１３０）、ステップＳ１３３へ移行する。
【０２１２】
また、レンズ６６上を終端のセクタが通過した後であった場合には（ステップＳ１２７；Ｙｅｓ）、制御部５１は、光ピックアップ部６におけるデータの読み出しを停止させ（ステップＳ１３１）、その後、レンズ６６上に先端セクタが位置するまで待機する（ステップＳ１３２）。
【０２１３】
先端セクタとは、ＣＤカード１の端部付近において、トラックの端部に位置するセクタである。レンズ６６は円形でないＣＤカード１のトラックからのデータ読み出しを試行するので、レンズ６６からのレーザ光（３）（図４）がＣＤカード１によって反射される状態と、レンズ６６の上方にＣＤカード１が存在せず、レーザ光（３）が反射されない状態とが交互に発生する。そして、レンズ６６の上方に先端セクタが位置した瞬間から、レンズ６６の上方に終端セクタが位置する瞬間までは、ＣＤカード１によってレーザ光（３）が反射され、データの読み出しが可能になる。
【０２１４】
制御部５１は、ステップＳ１３２で先端セクタに到達したと判別した場合、ステップＳ１３３へ移行して、現在レンズ６６上に位置しているトラックにおける読み出しが全て終了したか否かを判別し、終了していなければステップＳ１２７に戻り、終了していればステップＳ１３４へ移行する。
【０２１５】
ステップＳ１３４で、制御部５１は、ＣＤカード１の全トラックにおける処理が完了したか否かを判別し、該ＣＤカード１についてデータの読み出し処理を継続して行う場合はステップＳ１２２に戻って、次の対象のトラック位置へ光ピックアップ部６を移動させ、処理を継続する。
【０２１６】
図２１は、図２０に示すデータ読出処理を模式的に示す説明図である。ここでは、説明の便宜のため、ＣＤカードアダプタ４０に装着される４枚のＣＤカード１，１，１，１を、ＣＤカードＡ，Ｂ，Ｃ，Ｄとして説明する。
【０２１７】
ＣＤカードアダプタ４０は、４枚のＣＤカードＡ，Ｂ，Ｃ，Ｄが装着された状態で、ドライブ装置５において回転駆動される。このため、ＣＤカードアダプタ４０における各ＣＤカードは、ＣＤカードＡ，Ｂ，Ｃ，Ｄの順にレンズ６６上を通過する。
【０２１８】
従って、ドライブ装置５においては、ＣＤカードＡ，Ｂ，Ｃ，Ｄのそれぞれについてのみデータの読み取りを行う手順ではなく、レンズ６６を固定した状態で、レンズ６６上を通過する各トラックから順次データを読み出す。
【０２１９】
詳細には、図２１の上部に示すように、ＲＯＭ領域、即ち読取専用エリア１０３からデータを読み出す際に、レンズ６６を固定すると、ＣＤカードＡ，Ｂ，Ｃ，Ｄの順にレンズ６６上をトラックが通過する。従って、制御部５１は、ＣＤカードＡ，Ｂ，Ｃ，Ｄの順に、レンズ６６の上方に位置するトラックの読み取りを実行する。この場合、図２１に示すように、該当トラックにデータが記録されていなくても、そのまま読み取りを続行する。
【０２２０】
また、この読み取り動作に際しては、図２１に示すように、バッファメモリ５５ａ内に、各ＣＤカードＡ，Ｂ，Ｃ，Ｄに対応づけて記憶エリアが形成されているので、このＣＤカードＡから読み出されたデータは、一旦、ＣＤカードＡ用エリアに格納され、同様に、ＣＤカードＢ，Ｃ，Ｄから読み出されたデータは、それぞれＣＤカードＢ用エリア、ＣＤカードＣ用エリア、ＣＤカードＤ用エリアに順次格納される。
【０２２１】
これにより、ＣＤカードアダプタ４０に装着された複数のＣＤカード１から、効率よくデータの読み出しを行うことができる。
つまり、制御部５１およびバッファメモリ５５ａは、各ＣＤカード１に対して連続して処理を行うデータ処理手段もしくは連続処理手段として機能する。
【０２２２】
また、例えば、ＣＤカード１が２枚しか用意できない場合は、ＣＤカード１の代わりに、ＣＤカード１と同形状でデータが全く記録されていない２枚のダミーカードをＣＤカードアダプタ４０に装着することも可能である。
この場合、上記ダミーカードに対応づけて設けられたバッファメモリ５５ａの記憶エリアにおいて、全くデータが記憶されない事を除いては、ドライブ装置５は、４枚のＣＤカード１，１，１，１が装着されたＣＤカードアダプタ４０と同じように動作することができる。
【０２２３】
さらに、ＣＤカードアダプタ４０に装着されたＣＤカード１の追記エリア１０４に対してデータの書き込みを行う場合は、図２１に示すように、各書き込みを行うデータを、各ＣＤカードに対応づけてバッファメモリ５５ａに設けられた記憶エリアに格納し、順次、ＣＤカードＡ，Ｂ，Ｃ，Ｄに書き込みを行えばよい。
この場合、各ＣＤカードＡ，Ｂ，Ｃ，ＤのROM領域にデータがないトラックがあるとき（図２１中、（なし）と表記）は、そのトラック部分は「データなし」との処理のもと、データを順次詰めた形で、RAM領域（すなわち、ＣＤカード１の追記エリア１０４）に対してデータの書き込みが行われる。
【０２２４】
従って、本第５の実施の形態におけるＣＤカードアダプタ４０を用いることにより、複数のＣＤカード１を同時にドライブ装置５にセットすることができる。これにより、ＣＤカード１を多数利用する場合、複数のＣＤカード１を差し替えてドライブ装置５にセットする手間を省くことができ、ＣＤカード１を、より手軽に扱うことができる。
【０２２５】
さらに、複数のＣＤカード１が装着されたＣＤカードアダプタ４０がドライブ装置５にセットされると、ドライブ装置５においては、図２１に示すように、ＣＤカードアダプタ４０にセットされた複数のＣＤカード１を駆動することによって各ＣＤカード１から順次データを読み出すことができる。このため、複数のＣＤカード１からのデータの読み出しを効率よく、速やかに行えるので、ＣＤカード１を、より一層手軽に扱うことができる。
【０２２６】
〔第６の実施の形態〕
次いで、図２２〜図２４を参照して、本発明の第６の実施の形態について説明する。
【０２２７】
図２２は、本発明をゲーム装置に適用した場合の第６の実施の形態におけるゲーム装置８０の構成を示す図であり、（ａ）はゲーム装置８０を示す斜視図であり、（ｂ）はゲーム装置８０に対するＣＤカードアダプタ１０の装着状態を示す要部平面図である。
【０２２８】
これらの図２２（ａ）及び（ｂ）に示すように、ゲーム装置８０は、本体８０１の内部に、図４に示す制御系５０の構成のすべてが内蔵されているほかに、前方部上面に、ゲームプレーヤが操作を行う各種のコントローラスイッチ８０２ａ，８０２ｂ，８０２ｃ，８０２ｄ及びコントローラスイッチ８０３ａ，８０３ｂ，８０３ｃ，８０３ｄ、ジョイスティック操作子８０４ａ，８０４ｂを備えており、また、後方部上面に、トレイ８０８を上面に備えているカード戴置部８０７、液晶パネル８０６を備えた蓋部８０５が回動可能に設けられている。
【０２２９】
さらに、ゲーム装置８０の前方部上面には、ゲームプレーヤの両手で握られるグリップ部８０２，８０３が突出して設けられている。
トレイ８０８に、ＣＤカード１が装着されたＣＤカードアダプタ１０をセットした後、蓋部８０５を閉じると、蓋部８０５の背部に設けられたクランプ８０５ｃとカード戴置部８０７側に設けられたクランプ部とにより、装着されたＣＤカード１を両側から挟み込むようになっている。
また、液晶パネル８０６は、ゲーム内容が表示されるようになっている。
【０２３０】
さらに、図２２（ａ）および（ｂ）に示すゲーム装置８０には、カード載置部８０７においてメモリカード装着端子９２が配設されている。
そして、ゲーム装置８０に対してＣＤカードアダプタ１０を装着する場合、ＣＤカードアダプタ１０には、ＣＤカード１の他、接続端子９１を備えるメモリカード９０を使用可能である。
【０２３１】
メモリカード９０は、外形はほぼＣＤカード１と同形状であり、例えばフラッシュメモリやＥＥＰＲＯＭ等の半導体記憶素子を内蔵し、ゲーム装置８０により実行されるゲームプログラム、ゲームの進行状況等の各種データが記録されている。メモリカード９０の接続端子９１と、カード載置部８０７のメモリカード装着端子９２とが接続されることによって、ゲーム装置８０の制御系からメモリカード９０に対するデータの読出・書込が可能となる。
【０２３２】
図２３は、本第６の実施の形態におけるＣＤカード１の内部構成の例を示す図であり、（ａ）は読出専用エリア１０３内の構成を示し、（ｂ）は追記エリア１０４内部の構成を示す。
【０２３３】
同図（ａ）に示すように、読出専用エリア１０３内には、ゲームプログラムが格納されるゲームプログラムデータエリア、ゲームキャラクタや背景等、ゲームで使用される画像データが格納されるゲームキャラクタ画像データエリア、ゲーム音楽の音楽データ等が格納されるゲーム音楽・音声データエリア等の各種格納エリアが設けられている。
【０２３４】
この図２３（ａ）に示す読出専用エリア１０３に記録されたデータが、当該ＣＤカード１の出荷時に既に記録されている読み出し専用のデータである。
【０２３５】
一方、図２３（ｂ）に示すように、追記エリア１０４内には、ゲームの結果が記録されるゲーム結果データエリア、ゲームの設定状態や進行状況等に関するパラメータが記録されるパラメータ記録エリア、ゲームが開始・終了された日時や履歴が記録されるゲーム開始・終了履歴データエリア、及び、ユーザが任意のデータを記録できるユーザ入力データエリア等の、各種の格納エリアが設けられている。
【０２３６】
追記エリア１０４における各種格納エリアは、上記のように追記可能であるため、ゲームの進行状況等に応じて各種データを記録できる。
【０２３７】
図２４は、本第６の実施の形態における動作を示すフローチャートである。このフローチャートにおいては、まず、トレイ８０８におけるＣＤカード１の有無が判別される（ステップＳ１４１）。
ここで、カード載置部８０７上にＣＤカード１が存在しない場合、ＣＤカード１ではなくメモリカード９０が使用されるので、メモリカード９０が装着されたＣＤカードアダプタ１０がカード載置部８０７にセットされ（ステップＳ１４４）、接続端子９１およびメモリカード装着端子２を介して、メモリカード９０内のデータやゲームプログラムが読み出される（ステップＳ１４５）。
【０２３８】
また、カード載置部８０７に、ＣＤカードアダプタ１０に装着されたＣＤカード１が存在する場合（ステップＳ１４１；Ｙｅｓ）、ＣＤカード１が駆動され（ステップＳ１４２）、続いて、ＣＤカード１の読出専用エリア１３から、ゲームプログラムの読み出しが行われる（ステップＳ１４３）。
【０２３９】
ステップＳ１４３若しくはステップＳ１４５で、ゲームプログラムが読み出された後、さらに、関連するデータの読み出しが行われ（ステップＳ１４６）、ゲーム装置８０のコントローラスイッチ８０２ａ，８０２ｂ，８０２ｃ，８０２ｄ、コントローラスイッチ８０３ａ，８０３ｂ，８０３ｃ，８０３ｄ、及び、ジョイスティック操作子８０４ａ，８０４ｂのいずれかにおける操作の有無が検知される（ステップＳ１４７）。
【０２４０】
そして、操作が無い場合はそのまま待機し、操作が有った場合には、操作内容に応じてゲームプログラムが実行される（ステップＳ１４８）。
【０２４１】
その後、ゲームを終了する旨の指示入力が行われるまでゲームプログラムの実行状態が続き（ステップＳ１４９）、ゲーム終了の指示が入力された後は、ゲームの進行に関するデータを記録するか否かの指示が入力され（ステップＳ１５０）、データを記録する旨の指示が入力された場合には、ゲームプログラムの実行により生成されたデータが追記エリア１４に記録され（ステップＳ１５１）、処理が終了される。
【０２４２】
このように、ゲーム装置８０においてＣＤカード１を利用することにより、大容量の読出専用エリア１０３に記録されたゲームプログラムを実行させてプレイを行い、さらに、プレイによって生じたデータを追記エリア１０４へ書き込むことができるので、興趣性と利便性の高いゲーム装置８０を実現できる。
また、ゲーム装置８０にメモリカード装着端子９２を設け、ＣＤカード１と同形状のメモリカード９０を使用することにより、ＣＤカードアダプタ１０によってＣＤカード１とメモリカード９０とを切り換えて使用できる。このため、大容量のデータを記録する場合には、光学的な読出および書込が可能なＣＤカード１を利用し、容量の少ないデータを記録する場合にはメモリカード９０を利用する等、目的に応じて適切な記録媒体を利用できる。従って、ＣＤカード１を効率よく使用でき、かつ、ＣＤカード１とは異なる利点を有するメモリカード９０を使用できる利便性の高いゲーム装置８０を提供できる。
【０２４３】
なお、ＣＤカード１を利用する装置としては、上記のゲーム装置８０のようなゲーム装置の他、パーソナルコンピュータ、音楽再生用ＣＤプレーヤー、ＭＤ（ミニディスク）プレーヤーや、ビデオカメラ、デジタルスチルカメラ等が挙げられる。
【図面の簡単な説明】
【０２４４】
【図１】本発明の第１の実施の形態におけるドライブ装置５の構成を示す外観斜視図である。
【図２】図１に示すトレイ５０２の構成をより詳細に示す図である。
【図３】図１に示すドライブ装置５に内蔵される光ピックアップ部６の構成を示す斜視図である。
【図４】図１に示すドライブ装置５の制御系５０の構成を示すブロック図である。
【図５】図４に示すバッファメモリ５５ａの構成を模式的に示す図である。
【図６】本発明の第１の実施の形態におけるＣＤカード１の構成を示す図であり、（ａ）はＣＤカード１の全体構成を示す斜視図であり、（ｂ）は平面図であり、（ｃ）は側面図であり、（ｄ）は同図（ｃ）とは異なる面を示す側面図であり、（ｅ）はＣＤカード１の記録面１ａの構成を示す平面図である。
【図７】図６に示すＣＤカード１が装着されるＣＤカードアダプタ１０の構成を示す図であり、（ａ）は平面図であり、（ｂ）は同図（ａ）の（III）−（III）線における断面図である。
【図８】図１に示すドライブ装置５におけるＣＤカード駆動時の動作を示すフローチャートである。
【図９】図８のステップＳ１６におけるデータ読出処理をより詳細に示すフローチャートである。
【図１０】図８のステップＳ１８におけるデータ書込処理をより詳細に示すフローチャートである。
【図１１】本発明の第２の実施の形態におけるＣＤカードアダプタ２０およびＣＤカード２の構成を示す図であり、（ａ）はＣＤカードアダプタ２０の断面図であり、（ｂ）はＣＤカードアダプタ２０の平面図であり、（ｃ）はＣＤカード２の断面図であり、（ｄ）はＣＤカード２の平面図である。
【図１２】本発明の第３の実施の形態におけるＣＤカードアダプタ３０およびＣＤカード３の構成を示す図であり、（ａ）はＣＤカードアダプタ３０の断面図であり、（ｂ）はＣＤカードアダプタ３０の平面図であり、（ｃ）はＣＤカード３の断面図であり、（ｄ）はＣＤカード３の平面図である。
【図１３】図１２に示すＣＤカードアダプタ３０に対し、ＣＤカード３を装着した状態を示す平面図である。
【図１４】本発明の第４の実施の形態における光ピックアップ部７の構成を示す斜視図である。
【図１５】図１４に示す光ピックアップ部７を用いた動作を示すフローチャートである。
【図１６】図１５のステップＳ６４に示すデータ読出処理をより詳細に示すフローチャートである。
【図１７】図１５のステップＳ６６に示すデータ書込処理をより詳細に示すフローチャートである。
【図１８】本発明の第５の実施の形態におけるＣＤカードアダプタ４０の構成を示す平面図であり、（ａ）はＣＤカードアダプタ４０の構成を示し、（ｂ）はＣＤカードアダプタ４０に対するＣＤカード１の装着状態を示す。
【図１９】図１８に示すＣＤカードアダプタ４０に対するドライブ装置５の動作を示すフローチャートである。
【図２０】図１９のステップＳ１１６に示すデータ読出処理をより詳細に示すフローチャートである。
【図２１】図２０に示すデータ読出処理を模式的に示す説明図である。
【図２２】本発明の第６の実施の形態におけるゲーム装置８０の構成を示す図であり、（ａ）はゲーム装置８０を示す斜視図であり、（ｂ）はゲーム装置８０に対するＣＤカードアダプタ１０の装着状態を示す平面図である。
【図２３】本発明の第６の実施の形態におけるＣＤカード１の記録内容を模式的に示す図であり、（ａ）は読取専用エリア１０３の構成を示し、（ｂ）は追記エリア１０４の構成を示す。
【図２４】本発明の第６の実施の形態における動作を示すフローチャートである。
【符号の説明】
【０２４５】
１  ＣＤカード
１０  ＣＤカードアダプタ
１０１  溝
１０２  ラベル
１０３  読取専用エリア
１０４  追記エリア
１０ａ  光ディスク
１１  穴
１２  支持部
１３  ＣＤカード装着部
１４  外周突起
１ａ  記録面
２  ＣＤカード
２０  ＣＤカードアダプタ
２０１  本体部
２０２  係合部
３  ＣＤカード
３０  ＣＤカードアダプタ
３０１  本体部
３０２  穴
３０３  係合部
４０  ＣＤカードアダプタ
４１  穴
４３，４４，４５，４６  ＣＤカード装着部
５  ドライブ装置
５０  制御系
６  光ピックアップ部
７  光ピックアップ部
【図１】
0004788709.tif 000002
【図２】
0004788709.tif 000003
【図３】
0004788709.tif 000004
【図４】
0004788709.tif 000005
【図５】
0004788709.tif 000006
【図６】
0004788709.tif 000007
【図７】
0004788709.tif 000008
【図８】
0004788709.tif 000009
【図９】
0004788709.tif 000010
【図１０】
0004788709.tif 000011
【図１１】
0004788709.tif 000012
【図１２】
0004788709.tif 000013
【図１３】
0004788709.tif 000014
【図１４】
0004788709.tif 000015
【図１５】
0004788709.tif 000016
【図１６】
0004788709.tif 000017
【図１７】
0004788709.tif 000018
【図１８】
0004788709.tif 000019
【図１９】
0004788709.tif 000020
【図２０】
0004788709.tif 000021
【図２１】
0004788709.tif 000022
【図２２】
0004788709.tif 000023
【図２３】
0004788709.tif 000024
【図２４】
0004788709.tif 000025